(57)【要約】【課題】  着物を少ない枚数の布地で形成しながら顔を中心とした人の目の行く衿の部分を枚数を多く豪華に見せることができ、且つ、布地の使用量及び製造作業を減らして生産コストを低減することが可能な雛人形を提供する。【解決手段】  雛人形の胴体Ａ１と、上記胴体に着せられる１乃至複数枚の着物１０，１１と、その上に着せられる表着１３とからなる雛人形において、上記着物１０，１１は、各着物毎に色違いの表地１０Ａ，１１Ａと裏地１０Ｂ，１１Ｂを重ね合わせて形成し、上記着物の衿部に各着物の表地と同一色の衿１０Ｃ，１１Ｃと各着物の裏地と同一色の衿１０Ｄ，１１Ｄとをそれぞれ色合わせして取り付け、上記着物の袖口部に各衿と同一色の袖１０Ｅ，１０Ｆ，１１Ｅ，１１Ｆを同じ順序で取り付けたものである。【選択図】図１
0003112495.tif 000002
【実用新案登録請求の範囲】
【請求項１】
雛人形の胴体と、上記胴体に着せられる１乃至複数枚の着物と、その上に着せられる表着とからなる雛人形において、上記着物は、着物毎に色の異なる表地と裏地を重ね合わせて形成し、上記着物の衿部に着物の表地と同一色の外衿及び着物の裏地と同一色の内衿とをそれぞれ色を合わせて取り付け、上記着物の袖口部に上記外衿と内衿と同一色の袖を同じ順序で取り付けたことを特徴とする雛人形。
【考案の詳細な説明】
【技術分野】
【０００１】
本考案は雛人形に係り、特に、三人官女や内裏雛の女雛において、着物を少ない枚数の布地で形成しながら顔を中心とした人の目の行く衿の部分を豪華に見せることができ、且つ、生産コストを低減することができるように工夫したものに関する。
【背景技術】
【０００２】
従来、雛人形としては、飾り栄えがし、より楽しく眺めることができるようにするため、雛人形の胴体に上半身と下半身を分けないで着物と同じように縮小して一枚物とした打掛を重ねて着せるようにしたものがある。具体的には、衿、五衣、唐衣等を着せた人形において、着物を縮小して実際の着物と同じように前布、側布、後布の６枚と袖を縫い合わせて上半身と下半身を分けないで一枚物とした打掛を重ねて着せている。（例えば、特許文献１参照。）。
【０００３】
【特許文献１】実用新案登録第３０４０５５５号公報
【０００４】
また、図６，図７に示すように、雛人形Ｍの胴体１に、袖を除いて上半身と下半身を分けないで縮小して一枚物とした色の異なる着物を３枚重ねて着せ、この上に表着３を着せたものがある。具体的には、表地と裏地の２枚を同じ色の布地で形成して一枚の着物とし、衿１Ａ、裾１Ｃも通常どおりに形成したものである。また、袖１Ｂは上記各着物と同じ色のものを同じ順序で腕部に重ねて取り付けている。
【考案の開示】
【考案が解決しようとする課題】
【０００５】
上記従来の構成によると次のような問題があった。まず、雛人形で目の行くところは顔を中心とした衿の部分であり、この衿を豪華に見せるために多数枚の着物を重ねて着せている。このため、余り目の行かない裾等の部分も同一枚数の布地で形成しなければならない。よって、着物の枚数を多くすると布地の使用量が多くなり、その縫合作業も増加することとなり、製造コストを高くする原因となっている。
【０００６】
本考案はこのような点に基づいてなされたものでその目的とするところは、着物を少ない枚数の布地で形成しながら顔を中心とした人の目の行く衿の部分を着物の枚数を多く豪華に見せることができ、且つ、布地の使用量及び製造に要する作業を減らして生産コストを低減することが可能な雛人形を提供することにある。
【課題を解決するための手段】
【０００７】
上記目的を達成するべく本考案の請求項１による雛人形は、雛人形の胴体と、上記胴体に着せられる１乃至複数枚の着物と、その上に着せられる表着とからなる雛人形において、上記着物は、着物毎に色の異なる表地と裏地を重ね合わせて形成し、上記着物の衿部に着物の表地と同一色の外衿及び着物の裏地と同一色の内衿とをそれぞれ色を合わせて取り付け、上記着物の袖口部に上記外衿と内衿と同一色の袖を同じ順序で取り付けたことを特徴とするものである。
【０００８】
上記着物は、各着物毎に色の異なる表地と裏地を使用し、これを重ね合わせて縫合等により一枚物に形成される。このとき、着物１枚に対して、着物の表地と同一色の外衿と着物の裏地と同一色の内衿との２枚を、上記着物の衿部にそれぞれ色を合わせて取り付ける。例えば、２枚の着物の場合は、各着物毎に異なる４色（柄も含む）の表地・裏地を使用してこれを重ね合わせ、４色の異なる着物として構成する。そして、上記２枚の着物にそれぞれ２枚ずつ合計４枚の外衿と内衿を各着物の表地・裏地の色に合わせて取り付けるものである。
【０００９】
更に、上記着物の袖口部に上記各外衿と各内衿と同一色の袖をそれぞれ色を合わせて同じ順序で取り付ける。これにより、上記例の場合には、着物の枚数２枚に対して、衿の枚数は通常の２倍の４枚となり、顔を中心とした人の目の行く衿の部分では着物の枚数を４枚重ねのように枚数を多く豪華に見せることができ、逆に余り人の目の行かない裾の部分は、枚数が２枚であるが、衿や袖の色に合わせて、４色の布地で形成されているので、あたかも４枚の布地があるように見せることができるものである。
【考案の効果】
【００１０】
本考案の雛人形によると、着物を少ない枚数の布地で形成しながら顔を中心とした人の目の行く衿の部分を着物の枚数を多く豪華に見せることができ、且つ、布地の使用量及び製造作業を減らして生産コストを低減することができる。
【考案を実施するための最良の形態】
【００１１】
以下、図１乃至図５を参照して本考案の第１の実施の形態を説明する。図１は本発明に係る雛人形１００の斜視図、図２は要部の斜視図、図３と図４は衿の縫合手順図、図５は袖の縫合手順図である。
【００１２】
まず、図１に示すように、雛人形１００の胴体Ａ１に３枚の下着７，８，９と袴５を着せ、その上に２枚の着物１０，１１を着せ、更に、その上に表着（打掛）１３を着せている。
【００１３】
上記２枚の着物１０，１１は、袖の部分を除き、衿部から裾の部分までを一枚物で形成している。また、２枚の着物１０，１１は、着物毎に色の異なる表地と裏地とを使用し、これらを重ね合わせて縫合等により１枚物に形成している。例えば、着物１０は、黄色の表地１０Ｂと赤の裏地１０Ｃを使用している。また、着物１１は、オレンジ色の表地１１Ｂとピンク色の裏地１１Ｃを使用している。
【００１４】
そして、着物の衿部（首回りから腰にかけての部分）に着物の表地と同一色のものと着物の裏地と同一色のものとの２枚の衿をそれぞれ色合わせして取り付けている。例えば、着物１０の衿部には、黄色の外衿１０Ａと赤の内衿１０Ａが取り付けられている。また、着物１１の衿部には、オレンジ色の外衿１１Ａとピンク色の内衿１１Ａが取り付けられている。
【００１５】
また、雛人形１００の腕部Ａ２においては、上記着物の袖口部に上記外衿と内衿と同一色の袖を同じ順序で取り付けている。例えば、着物１０の袖口部には、外側に黄色の袖１０Ｅが、また、内側に赤の袖１０Ｆが取り付けられている。また、着物１１の袖口部には、外側にオレンジの袖１１Ｅが、また、内側にピンク色の袖１１Ｆが取り付けられている。これにより、内側から赤、黄、ピンク、オレンジの各色の袖が見えるようになっている。
【００１６】
尚、内側の赤の袖１０Ｆについては袖全体が形成されており、後述する表着（打掛）１３の袖１３Ａも袖全体を形成されており、これらの間にある黄、ピンク、オレンジの各色の袖は袖口の部分のみで形成されている。
【００１７】
更に、上記着物１０，１１には表着（打掛）１３が着せられ、腕部Ａ２の各袖１０Ｅ，１０Ｆ，１１Ｅ，１１Ｆの上に表着（打掛）１３の袖１３Ａを被せている。
【００１８】
次に、図２乃至図５を参照して上記外衿１０Ｃ，１１Ｃ及び内衿１０Ｄ，１１Ｄや袖１０Ｅ，１０Ｆ，１１Ｅ，１１Ｆの縫製による製造例を説明する。まず、図２に示すように、着物１０の表地１０Ａと裏地１０Ｂ及び着物１１の表地１１Ａと裏地１１Ｂは、それぞれ異なる色（柄も含む）のものが使用され、これらを縫合により重ね合わせると同時に、外衿１０Ｃ，１１Ｃ及び内衿１０Ｄ，１１Ｄを取り付ける。その縫合手順は、図３，図４に示すように、上記２枚の着物１０，１１の衿部に衿口ａ，ｂ及び衿口ｃ，ｄを形成する。
【００１９】
次に、４枚の布片１４（表地１０Ａ），布片１５（裏地１０Ｂ），布片１６（表地１１Ａ），布片１７（裏地１１Ｂ）を、図４に示すように、その中央の折返線と両端の折返線で折り返して衿の形状に形成する。この布片１４，１５及び１６，１７における縫合線を上記衿口ａ，ｂ及び衿口ｃ，ｄに合わせて縫合する。尚、糸で縫合する方法のほか、接着剤により接着する方法により取り付けても良い。尚、表着（打掛）１３は、従来例と同一構成であり、その説明は省略する。
【００２０】
また、図５に示すように、各袖１０Ｅ，１０Ｆ，１１Ｅ，１１Ｆのうち、最も内側の着物の袖１０Ｆは袖全体を形成されており、各袖１０Ｅ，１１Ｆ，１１Ｅは、短冊状に裁断されたものを折り返して円環状にした袖口の部分のみで形成されている。表着１３の袖１３Ａと最も内側の着物の袖１０Ｅは通常の袖の形に作られており、上記外衿１０Ｃ，１１Ｃ及び内衿１０Ｄ，１１Ｄの各色とそれぞれ色合わせされて、表着１３の袖１３Ａと最も内側の着物の袖１０Ｅ間に、内側から黄の袖１０Ｆ，ピンクの袖１１Ｅ，オレンジの袖１１Ｆの順で糸による縫合により、又は、接着剤による接着により取り付けられている。
【００２１】
以上本考案の実施の形態によると次のような効果を奏することができる。まず、上記例の場合には、着物の枚数２枚に対して、衿の枚数は通常の２倍の４枚となり、顔を中心とした人の目の行く衿の部分では着物の枚数を４枚重ねのように枚数を多く豪華に見せることができ、逆に余り人の目の行かない裾の部分は、枚数が２枚であるが、衿や袖の色に合わせて、４色の布地で形成されているので、あたかも４枚の布地があるように見せることができるものである。これにより、着物を少ない枚数の布地で形成しながら顔を中心とした人の目の行く衿の部分を枚数が多く豪華に見せることができ、且つ、布地の使用量及び製造作業を減らして生産コストを低減することができる。
【００２２】
尚、本考案は前記実施の形態に限定されるものではない。まず、着物の枚数は前記実施の形態のように２枚に限定されるものではない。例えば、１枚から６枚程度まで適宜枚数の着物とすることができる。また、各着物の表地、裏地や衿、袖に使用される布地の色の組み合わせ方は任意であり、色とともに柄の違いによって差異をつけることも含まれるものである。また、袖については、上記の実施の形態の例にこだわらず、通常の袖を重ねた構成とする等他の適宜な構成を採ることができる。
【産業上の利用可能性】
【００２３】
本考案は、前記実施の形態では一例として三人官女の立ち姿の雛人形に適用した例で示したが、三人官女の他の女雛や内裏雛の女雛などの立ち姿の雛人形に適用することができるし、また、三人官女の女雛や内裏雛の女雛などの座った姿の雛人形にも適用できることは勿論である。
【図面の簡単な説明】
【００２４】
【図１】本考案の第１の実施の形態を示し、雛人形の斜視図である。
【図２】本考案の第１の実施の形態を示し、衿と裾の要部の斜視図である。
【図３】本考案の第１の実施の形態を示し、衿の縫合手順図である。
【図４】本考案の第１の実施の形態を示し、衿の縫合手順図である。
【図５】本考案の第１の実施の形態を示し、袖の縫合手順図である。
【図６】従来例の雛人形の斜視図である。
【図７】従来例の雛人形の衿と裾の要部の斜視図である。
【符号の説明】
【００２５】
７，８，９        下着
１０，１１        着物
１０Ａ，１１Ａ    衿
１０Ｂ            表地
１０Ｃ            裏地
１１Ｂ            表地
１１Ｃ            裏地
１０Ｄ，１０Ｅ    袖
１１Ｄ，１１Ｅ    袖
１０Ｊ，１１Ｊ    裾
１３              表着（打掛）
１３Ａ            袖
１４〜１７        布片
Ａ１              胴体
Ａ２              腕部
ａ，ｂ            衿口
ｃ，ｄ            衿口
１００            雛人形
【図１】
0003112495.tif 000003
【図２】
0003112495.tif 000004
【図３】
0003112495.tif 000005
【図４】
0003112495.tif 000006
【図５】
0003112495.tif 000007
【図６】
0003112495.tif 000008
【図７】
0003112495.tif 000009
【手続補正書】
【提出日】平成17年6月15日(2005.6.15)
【手続補正１】
【補正対象書類名】図面
【補正対象項目名】全図
【補正方法】変更
【補正の内容】
【図１】
0003112495.tif 000010
【図２】
0003112495.tif 000011
【図３】
0003112495.tif 000012
【図４】
0003112495.tif 000013
【図５】
0003112495.tif 000014
【図６】
0003112495.tif 000015
【図７】
0003112495.tif 000016